(57)【要約】【課題】ＩＣタグに要求される形状が変わっても、その要求に沿った形状を容易に製造することができる構造のＩＣタグ体を提供こと。【解決手段】ＩＣタグ体１０を、ＩＣチップ２１とこのＩＣチップ２１に格納された情報を発信するアンテナ部２２とを有するＩＣインレット２０と、このＩＣインレット２０を有する第１の保持部材３０からなるＩＣタグと、この第１の保持部材３０を保持する第２の保持部材４０から構成する。【選択図】  図１
2007280308.tif 000002
【特許請求の範囲】
【請求項１】
ＩＣチップとこのＩＣチップに格納された情報を発信するアンテナ部とを有するＩＣインレットと、
このＩＣインレットを有する第１の保持部材からなるＩＣタグと、
この第１の保持部材を保持する第２の保持部材と、
を備えるＩＣタグ体。
【請求項２】
前記第２の保持部材は、シリコン樹脂から形成されていることを特徴とする請求項１に記載のＩＣタグ体。
【請求項３】
前記第１の保持部材は、円柱の外形を呈していることを特徴とする請求項１または請求項２に記載のＩＣタグ体。
【請求項４】
前記第２の保持部材は、取付け具を一方の面から他方の面に通す貫通孔を有することを特徴とする請求項１から請求項３のいずれか１項に記載のＩＣタグ体。
【請求項５】
前記第２の保持部材の外側に金属性の保持枠を有していることを特徴とする請求項１から請求項４のいずれか１項に記載のＩＣタグ体。
【発明の詳細な説明】
【技術分野】
【０００１】
本発明は、非接触でデータの読み書きを行うことが可能なＩＣタグ体に関する。
【背景技術】
【０００２】
近年、ＩＣチップとこのＩＣチップに格納された情報を発信または受信、あるいは発信および受信するアンテナ部とを有するＩＣインレットを樹脂製の外装体により覆って構成した、いわゆるＩＣタグが提案されている。ここで言うＩＣインレットとは、ＩＣチップとこのＩＣチップに接続されるアンテナとが一体になった部材のことをいい、ＩＣカードやＩＣタグの中核となる部品の総称である。
【０００３】
このＩＣタグは、ＩＣインレット部に水分や埃などが浸入しないように、外装体が密封されている必要がある。このようなＩＣタグの製造は、例えば、次のように行われている。
【０００４】
樹脂部材等から形成される外装体を、予め上下あるいは左右等に２分割したものを用意しておき、一方の外装体の上にＩＣインレットを載置する。次に、この一方のＩＣインレットを載置した側の外装体に他方の外装体を重ね合わせる。そして、ＩＣインレットが外装体の中に密閉されるように、一方の外装体と他方の外装体とを接着あるいは熱融着などにより接合する。このようにして製造されたＩＣタグは、ＩＣインレットが外装体により覆われたものとなっている。
【０００５】
また、特許文献１に記載される方法によりＩＣタグを製造することもできる。この方法は、フィルム状の樹脂基材の上にＩＣインレットを載置し、このＩＣインレットが成形金型の内部の所定位置に配設されるようにフィルム状樹脂基材を支持する。そして、この状態で、成形金型内に樹脂を注入し、モールド成形を行う方法である。
【０００６】
この製造方法は、フィルム状樹脂基材に外装体の樹脂の融点より低いものを用いることにより、モールド成形時にフィルム状樹脂基材を溶融させ、ＩＣチップとアンテナが外装体内に密閉されて封入されるようにしている。
【０００７】
【特許文献１】特開平９−２９３１３１号公報（要約等の記載参照）
【発明の開示】
【発明が解決しようとする課題】
【０００８】
ところで、ＩＣタグは、設置場所や用途等に応じて、外形や外装体の材質を適宜に選択して構成することが好ましい。しかしながら、ＩＣタグの上述の製造方法のうち、ＩＣタグの外装体を２分割したものを予め容易して製造する前者の方法においては、外装体を２分割に構成する必要から、外形等が異なるＩＣタグを製造する毎に、２つの成形金型を準備する必要がある。したがって、成形金型の製造費用がかかりコストの増加等を招く問題がある。
【０００９】
また、後者のフィルム状樹脂基材の上にＩＣインレットを載置した状態で、モールド成形を行う製造方法においても、次のような事情によりコストの増加を招く虞がある。すなわち、成形金型は、外装体の外形毎に構造が異なる。したがって、この異なる構造の成形金型に対して、ＩＣインレットが、成形金型の所定位置に配置されるように、フィルム状樹脂基材を支持する構成を成形金型毎に適切に設ける必要がある。このため、コストの増加等を招く問題がある。
【００１０】
本発明は上記の問題に鑑みなされたもので、その目的とするところは、ＩＣタグに要求される形状が変わっても、その要求に沿った形状を容易に製造することができる構造のＩＣタグ体を提供しようとするものである。
【課題を解決するための手段】
【００１１】
上記課題を解決するために、本発明のＩＣタグ体は、ＩＣチップとこのＩＣチップに格納された情報を発信するアンテナ部とを有するＩＣインレットと、このＩＣインレットを有する第１の保持部材からなるＩＣタグと、この第１の保持部材を保持する第２の保持部材とを備えている。このようにＩＣタグ体を構成することにより、ＩＣタグとなる第１の保持部材の外形を同じにしながら、第２の保持部材の外形を変えることにより異なる外形のＩＣタグ体を得ることができる。このため、種々の要求に沿った形状のＩＣタグ体を容易に得ることができる。
【００１２】
また、他の発明は、第２の保持部材は、シリコン樹脂から形成している。このようにＩＣタグ体を構成することにより、耐熱性に優れるＩＣタグ体を得ることができる。
【００１３】
また、他の発明は、第１の保持部材を、円柱の外形を呈するものとしている。このようにＩＣタグ体を構成することにより、第１の保持部材の体積に対する表面積の比を小さくすることができるため、第２の保持部材から第１の保持部材に及ぶ熱等の影響を受け難くしたＩＣタグ体を得ることができる。
【００１４】
また、他の発明は、第２の保持部材が、取付け具を一方の面から他方の面に通す貫通孔を有するものとしている。このようにＩＣタグ体を構成することにより、ＩＣタグ体を他の部材に容易に取り付けることができる。
【００１５】
また、他の発明は、第２の保持部材の外側に金属性の保持枠を有しているものとしている。このようにＩＣタグ体を構成することにより、堅牢なＩＣタグ体を得ることができる。
【発明の効果】
【００１６】
本発明によれば、ＩＣタグに要求される形状が変わっても、その要求に沿った形状を容易に製造することができる構造のＩＣタグ体を得ることができる。
【発明を実施するための最良の形態】
【００１７】
（第１の実施の形態）
以下、本発明の第１の実施の形態に係るＩＣタグ体１０について、図１から図８に基づいて説明する。図１は、ＩＣタグ体１０の分解斜視図を示している。また、図２は、ＩＣタグ体１０を前方から見た前方側斜視図を示し、さらに、図３は、ＩＣタグ体１０を後方から見た後方斜視図を示している。
【００１８】
図１から図３に示すように、ＩＣタグ体１０は、後述するＩＣインレット２０を有するＩＣタグとなる第１の保持部材３０、この第１の保持部材３０を保持する第２の保持部材４０、および第２の保持部材４０を保持する保持枠５０を備えている。
【００１９】
図４にＩＣインレット２０を有する第１の保持部材３０の斜視図を示す。この図４に示すように、第１の保持部材３０は、外形において、扁平した円柱体、すなわち円盤形を呈している。そして、第１の保持部材３０の内部には、図５および図６に示すように、ＩＣインレット２０が配設されている。なお、図５は、第１の保持部材３０の平面図を示し、第１の保持部材３０の内部に配設されるＩＣインレット２０を点線で示している。また、図６は、図５に示す切断線Ａ−Ａにおける第１の保持部材３０の断面図である。なお、以下の説明においては、図１から図８にそれぞれ示されるＸ方向を左右方向、Ｙ方向を前後方向、そしてＺ方向を上下方向として説明を行うことにする。また、ＩＣタグ体１０から見て、このＩＣタグ体１０を取り付ける部材の方向を前方とし、その反対方向を後方として説明を行う。
【００２０】
ＩＣインレット２０は、ＩＣチップ２１とアンテナ２２とを備えている。このＩＣチップ２１は、アンテナ２２を介して、図示を省略するＩＣリーダーまたはＩＣライター、あるいはリーダーとライターの両機能を備えるＩＣリーダー・ライター（以下、リーダーとライターの機能を単独で備えるか、あるいは両方を備え持つかに拘わらず、単にＩＣリーダー／ライターと記載する。）に対して、ＩＣチップ２１に格納されている情報を出力したり、あるいは、ＩＣリーダー／ライター（図示省略）からの情報が格納できるようになっている。
【００２１】
ＩＣインレット２０は、例えば、上述の背景技術で説明した方法により、第１の保持部材３０の内部に配設される。すなわち、第１の保持部材３０のＩＣインレット２０を囲む部分を、予め、円柱体の前方側と後方側に２分割した状態の２部材として形成しておく。そして、この２分割されている部材の間に、ＩＣインレット２０を挟み込み、２分割されている部材同士を接着材により接合して一体化し、第１の保持部材（ＩＣタグ）３０とする。
【００２２】
２分割されている部材のＩＣインレット２０を挟み込む面の少なくとも一方には、ＩＣインレット２０を収容する凹部を形成しておく。この凹部は、ＩＣインレット２０の厚さよりやや深い深さに形成しておく。したがって、この凹部にＩＣインレット２０を収容することにより、２分割されている部材を接合したときに、両部材は、凹部の周縁面が互いに当接した状態で接合することになる。つまり、第１の保持部材３０は、ＩＣインレット２０を内部に密閉した状態となりＩＣタグとになる。
【００２３】
また、上記のように両部材を２分割しておくことなく、第１の保持部材３０を金型成形により一体物として成形する場合には、フィルム状の樹脂製基材を用いてＩＣインレット２０を成形金型内の所定位置に支持し、この状態で成形金型内に成形樹脂を注入する。このようにして、外装体を成形するのに合わせて、ＩＣインレット２０を有する第１の保持部材３０が形成される。
【００２４】
そして、以上のようにして形成した第１の保持部材３０は、容易に変形しない強度の高い固体物となる。これにより、内部のＩＣインレット２０を保護している。この第１の保持部材３０を、所望の形状あるいは材質等により形成した第２の保持部材４０に組み込む。この実施の形態においては、第２の保持部材４０は、シリコン樹脂から形成され、前後方向にやや扁平した直方体の外形を呈している。
【００２５】
第２の保持部材４０は、前方の面（前面）４１に、第１の保持部材３０の直径よりやや小さな直径で、第１の保持部材３０の厚さ（前後方向の厚さ）とほぼ同じ深さの円柱状の凹部４２が形成されている。そして、第１の保持部材３０は、凹部４２に嵌め込まれることにより、第２の保持部材４０と一体的に構成される。なお、この嵌め込みの際に、第１の保持部材３０と第２の保持部材４０の間に接着剤を配置し、両者を接着固定することが好ましい。
【００２６】
さらに、第１の保持部材３０が嵌め込まれた第２の保持部材４０は、保持枠５０に保持される。保持枠５０は、ステンレス材により形成され、第２の保持部材４０の４つの側面４３と後方の面（後面）４４に当接して、第２の保持部材４０を保持するように構成されている。すなわち、保持枠５０は、第２の保持部材４０の各側面４３が交差する４つの陵辺部４３Ａに対応して設けられる枠辺５１と、第２の保持部材４０の各側面４３と後面４４とが交差する４つの陵辺部４３Ｂに対応して設けられる枠辺５２、および各側面４３の前側の縁部に対応して設けられる枠辺５３を有する。これらの枠辺５１，５２，５３が第２の保持部材４０に当接して、第２の保持部材４０が保持枠５０に保持される。
【００２７】
枠体５０は、枠辺５１、枠辺５２および枠辺５３が、その端部を互いに接続して一体に形成されている。枠辺５１は、断面形状において略Ｌ字型を呈し、このＬ字型の内側に、陵辺部４３Ａが位置している。したがって、保持枠５０は、枠辺５１により第２の保持部材４０を、左右および上下方向に対して保持する。
【００２８】
また、枠辺５２も断面形状において略Ｌ字型を呈する。そして、このＬ字型の内側に、陵辺部４３Ｂが位置する。したがって、枠辺５２は、各側面４３の後側の縁部と後面４４の縁部とに当接する。保持枠５０は、枠辺５２が第２の保持部材４０の後面４４に当接することにより第２の保持部材４０を後方側から保持する。
【００２９】
また、枠辺５３は、平板状を呈し、第２の保持部材４０の各側面４３の前側の縁部に当接するように設けられる。したがって、保持枠５０は、各側面４３の後側の縁部に当接する枠辺５２と枠辺５３により、枠辺５１と共に、第２の保持部材４０を左右および上下方向に対して保持する。
【００３０】
保持枠５０の前方側には、枠辺５３により形成される開口部５４が形成されている。第２の保持部材４０は、この開口部５４から保持枠５０内に組み込まれ、保持枠５０により保持されることになる。
【００３１】
保持枠５０は、各枠辺５１，５２，５３が、第２の保持部材４０の側面４３と後面４４側において、側面４３あるいは後面４４に当接するが、各枠辺５１，５２，５３同士の間には開口部５５が形成されている。側面４３および後面４４は、開口部５５の部分については、保持枠５０から露出している。
【００３２】
第２の保持部材４０には、前後方向に貫通する貫通孔であるネジ挿通孔４５が形成されている。このネジ挿通孔４５は、第１の保持部材３０を避けて、第１の保持部材３０の左右に形成されている。
【００３３】
また、保持枠５０の枠辺５２には、内側に向けて舌状に延設されるネジ挿通片５６が形成されている。このネジ挿通片５６には、ネジ挿通孔４５に対向する位置にネジ挿通孔５７が形成されている。したがって、このネジ挿通孔５７と第２の保持部材４０側のネジ挿通孔４５を通してネジを挿通することができる構成になっている。
【００３４】
以上のように構成されるＩＣタグ体１０は、例えば、図７および図８に示すように、取付け具であるネジ６０をネジ挿通孔５７の側からネジ挿通孔４５に通して、ネジ６０により壁面Ｗに対して取り付けて使用される。図８は、図７における切断線Ａ−Ａにおける断面図であり、ＩＣタグ体１０にネジ６０が通っている箇所の断面図となっている。
【００３５】
以上のように構成されるＩＣタグ体１０は、ステンレス製の保持枠５０を備えるため、外部からの衝撃に対して堅牢な構造になっている。例えば、図７および図８に示す壁面Ｗに取り付けられた状態において、ＩＣタグ体１０を壁面に対して押し付ける力が作用した場合でも、枠辺５１が壁面Ｗとの間でこの外力を主に受けることになるので、外力が直接、第２の保持部材４０および第１の保持部材３０に及ぶことがない。また、ＩＣタグ体１０に対して壁面Ｗに平行な力が作用した場合には、主に枠辺５２，５３が枠辺５１との間でこの外力を受けることになるので、外力が直接、第２の保持部材４０および第１の保持部材３０に及ぶことがない。
【００３６】
保持枠５０は、ステンレス材より形成されるが、開口部５５が形成されているため、この開口部５５をアンテナ２２から発生する磁束が通過し、また、ＩＣリーダー／ライター（図示省略）からの電波も通過する。そのため、ＩＣインレット２０とＩＣリーダー／ライターとの間で情報のやり取りを行うことができる。
【００３７】
本実施の形態においては、保持枠５０をステンレス材により形成することとしたが、スチール（鉄）材、チタン材、アルミニウム材など他の金属、あるいは、ポリカーボネイトやポリプロピレン等の樹脂材により形成するようにしてもよい。特に、保持枠５０をチタンやアルミニウム等の非磁性の金属や樹脂材により形成した場合には、保持枠５０をスチール等の磁性材により形成するのに比べて、アンテナ２２から発生する磁束が保持枠５０により阻害される障害を少なくすることができる。
【００３８】
また、本実施の形態においては、保持枠５０を備えてＩＣタグ体１０を堅牢に構成することとしたが、保持枠５０を備えない構成としてもよい。例えば、保持枠５０を備えなくとも、第２の保持部材４０のみで十分な堅牢性を確保できる場合には、保持枠５０を備えなくともよい。
【００３９】
また、本実施の形態においては、第２の保持部材４０をシリコン樹脂により形成したため、耐熱性に優れたＩＣタグ体１０が構成されている。また、シリコン樹脂に、適度な弾性を有するものを使用することにより、外部からの衝撃を吸収し、第１の保持部材３０およびＩＣインレット２０への衝撃が緩衝されるＩＣタグ体１０となる。弾性の程度は、加わる衝撃の大きさや振動の周波数等に応じて、衝撃や振動が適切に緩衝されるように適宜に設定する。例えば、ゴム硬度にして２０から９０度の範囲で、加わる衝撃の大きさや振動の周波数等に応じて適宜に設定する。
【００４０】
一方、第２の保持部材４０を形成する部材としては、シリコン樹脂に限らず、シリコンゴム、ポリカーボネイトあるいはポリプロピレン等の樹脂材により形成してもよい。これらの樹脂材についても、適度な弾性を有するものを使用することにより、外部からの衝撃を吸収し、第１の保持部材３０およびＩＣインレット２０への衝撃が緩衝されるＩＣタグ体１０となる。弾性の程度は、加わる衝撃の大きさや振動の周波数等に応じて、衝撃や振動が適切に緩衝されるように適宜に設定する。例えば、ゴム硬度にして２０から９０度のものを使用する。なお、第２の保持部材４０は、アンテナ２２から発生する磁束が乱されないように、また、ＩＣリーダー／ライター（図示省略）からの電波が通過することができるように、非磁性材であって、かつ、非導電材の材質から形成することが好ましい。
【００４１】
第２の保持部材４０に、アンテナ２２から発生した磁束およびＩＣリーダー／ライター（図示省略）からの電波が通過するスリット等の隙間を設け、第２の保持部材４０を、スチール（鉄）材、チタン材あるいはアルミニウム材等の金属材により形成してもよい。第２の保持部材４０を金属材により構成することにより、ＩＣタグ体１０を極めて堅牢なものとすることができる。上述のスリット等の隙間を設けた第２の保持部材４０を形成する金属を、非磁性の金属とすることにより、アンテナ２２から発生する磁束が第２の保持部材４０により阻害される障害を少なくすることができる。
【００４２】
本実施の形態においては、第１の保持部材３０は、扁平した円柱体を呈している。第１の保持部材３０の形状を、このように、円柱体を呈することにより、円柱体の体積に対する円柱面（円柱側面）の面積の比を小さくすることができる。そのため、第２の保持部材４０等の第１の保持部材３０の外部から第１の保持部材３０に及ぶ熱等の影響を少なくすることができる。また、円柱面に作用する外力を円周方向に逃がすことができる。
【００４３】
ところで、第１の保持部材３０は、第２の保持部材４０に対して、外力や熱が作用する側と反対側に組み込むことが望ましい。つまり、図１から図３、図７および図８に示すように、第１の保持部材３０を、第２の保持部材４０の壁面Ｗの側に取り付けることにより、壁面Ｗの外側、すなわち後方からの外力や熱に対して内部のＩＣインレット２０を含めた第１の保持部材３０を効果的に保護することができる。
【００４４】
逆に、ＩＣタグ体１０が取り付けられる側、例えば壁面Ｗの側から外力や熱がＩＣタグ体１０に及ぶ場合には、ＩＣタグ体１０が取り付けられる側、つまり壁面Ｗとは反対側に第１の保持部材３０を組み込む。こうすることにより、壁面Ｗと第１の保持部材３０との間に第２の保持部材４０が介在するため、壁面Ｗから第１の保持部材３０に及ぶ外力や熱を緩和することができる。
【００４５】
例えば、ＩＣタグ体１０を自動車エンジンに取り付ける場合には、ＩＣタグ体１０が取り付けられるエンジン面は高熱になる。そのため、図９に示すように、第１の保持部材３０の第２の保持部材４０への組み込みは、第２の保持部材４０のエンジン面ＥＷへの取り付け面と反対側の面の側に第１の保持部材３０を取り付ける。このようにすることにより、第１の保持部材３０に及ぶエンジン面ＥＷからの熱や振動等による外力を、第２の保持部材４０により緩和することができる。ＩＣタグ体１０を自動車エンジンに取り付ける場合には、自動車エンジンの振動を効果的に吸収できるように、第２の保持部材４０に、ゴム硬度にして、３５から６５度程度の弾性を持たせることが好ましい。
【００４６】
なお、第１の保持部材３０を、第２の保持材４０の表面に露出しないように、第２の保持材４０の内部に埋め込んだ場合には、第１の保持部材３０の周囲全体から第１の保持部材３０に及ぶ熱や外力を緩和することができる。
【００４７】
（第２の実施の形態）
本発明に係るＩＣタグ体の他の実施の形態を図１０に示す。図１０に示すＩＣタグ体１００は、第２の保持部材１１０の外形が、上記の実施の形態で説明したＩＣタグ体１０の第２の保持部材４０の外形と異なる点および保持枠５０を備えない点を除いて、ＩＣインレット２０および第１の保持部材３０については、同一の構成となっている。
【００４８】
ＩＣタグ体１００は、第２の保持部材１１０をリング状に構成したものである。この第２の保持部材１１０は、一部に切断部１１０Ａが形成されている。また、例えば、第２の保持部材１１０は、ポリエステル樹脂等の樹脂材により形成されている。したがって、第２の保持部材１１０は、切断部１１０Ａが離間する方向に撓るようにやや弾性を有する構成になっている。
【００４９】
このＩＣタグ体１００をＩＣタグ体１０と比較すると、ＩＣタグ体１００は、第２の保持部材１１０を上述のように構成することにより、例えば、道路標識等のポール部に容易に取り付けることができる。つまり、第２の保持部材１１０の切断部１１０Ａを広げて、この広げた切断部１１０Ａからポール部をリング内に通し、ＩＣタグ体１００をポール部に取り付ける。リング内の直径をポール部の径より小さめに構成することにより、ＩＣタグ体１００をポール部の長手方向に移動し難いように、ポール部に取り付けることができる。
【００５０】
ＩＣタグ体１００は、第１の保持部材３０については同一のものを使用しながら、第２の保持部材１１０の外形を異ならせることにより、ＩＣタグ体１０と異なる形状となっている。
【００５１】
（第３の実施の形態）
さらに、本発明に係るＩＣタグ体の他の実施の形態を図１１に示す。図１１に示すＩＣタグ体２００は、第２の保持部材２１０の外形が、上記の実施の形態で説明したＩＣタグ体１０の第２の保持部材４０の外形と異なる点および保持枠５０を備えない点を除いて、ＩＣインレット２０および第１の保持部材３０については、同一の構成となっている。
【００５２】
ＩＣタグ体２００は、第２の保持部材２１０の外形を、扁平したドーム状（球面の一部の形状）に構成したものである。このように第２の保持部材２１０の外形を扁平したドーム状に形成することにより、上述した第２の保持部材４０の稜辺部４３Ａ，４３Ｂのような角部がなくなる。そのため、ＩＣタグ体２００を、例えば、道路に設置した場合に、このＩＣタグ体２００を自動車のタイヤ等により踏まれても、ＩＣタグ体２００への衝撃が緩衝させられるとともに、タイヤ等に対しても損傷等を与えることを防ぐことができる。ＩＣタグ体２００を道路に設置する場合には、ＩＣタグ体２００が自動車のタイヤに踏まれたときに、自動車の加重が第１の保持部材３０に及ぶ量が少なくなるように、また、自動車のタイヤに損傷を与えないように、第２の保持部材２１０に、ゴム硬度にして、５０から７５度の弾性を持たせるようにすることが好ましい。
【００５３】
ＩＣタグ体２００をＩＣタグ体１０と比較すると、ＩＣタグ体２００は、第１の保持部材３０については同一のものを使用しながら、第２の保持部材２１０の外形を異ならせることにより、ＩＣタグ体１０と異なる形状となっている。
【００５４】
（第４の実施の形態）
次に、図１２および図１３に基づいて、本発明に係るＩＣタグの第４の実施の形態について説明する。図１２は、第４の実施の形態に係るＩＣタグ体３００の分解斜視図を示している。このＩＣタグ体３００は、図示を省略するＩＣインレット（ＩＣインレット２０と同一）と、このＩＣインレットを有するＩＣタグ本体部３１０、このＩＣタグ本体部３１０が収容される収容体３２０および取付け具３３０から構成される保持部材とを備えている。ここで、ＩＣタグ本体部３１０は、第１の保持部材３０に相当するもので、収容体３２０は、第２の保持部材４０に相当するものである。
【００５５】
ＩＣタグ本体部３１０は、扁平した円柱状を呈する樹脂モールド成形により形成され、内部には、図示を省略するＩＣチップとアンテナとを有するＩＣインレット（図示省略）を備えている。具体的には、例えば、上述したＩＣインレット２０および第１の保持部材３０と同様の構成であり同様の製造方法により製造される。なお、ＩＣインレット２０を備える第１の保持部材３０をＩＣタグ本体部３１０として使用してもよい。
【００５６】
収容体３２０は、一端側に開口部３２０Ａと他端側に底面部３２０Ｂを有する円筒形を呈し、円筒の内部が、ＩＣタグ本体部３１０を収容する収容部３２０Ｃとして形成されている。この収容部３２０Ｃは、ＩＣタグ本体部３１０の外形に合わせて円形に形成され、ＩＣタグ本体部３１０が丁度に嵌る径と深さに形成されている。
【００５７】
図１３は、収容体３２０を開口部３２０Ａの側から見た平面図を示している。収容体３２０は、図１３に示すように、底面部３２０Ｂの中央部に円形の凹部３２０Ｄが形成され、さらにこの凹部３２０Ｄの中央部には底面部３２０Ｂを貫通する孔部３２０Ｅが形成されている。
【００５８】
取付け具３３０は、表面に突起部等がない滑らかな表面を有する円柱部３３０Ａと、この柱状部３３０Ａの一端側に形成される尖った尖状部３３０Ｂと、他端側に形成される円形のフランジ部３３０Ｃを有する。この取付け具３３０は、円柱部３３０Ａ、尖状部３３０Ｂおよびフランジ部３３０Ｃは一体に構成され、例えば、いわゆる平頭くぎ（頭部が平らなくぎ）と同様の形状になっている。
【００５９】
孔部３２０Ｅは、円柱部３３０Ａが通る大きさに形成され、また凹部３２０Ｄは、フランジ部３３０Ｃが丁度嵌る大きさと形状に形成されている。したがって、取付け具３３０を、円柱部３３０Ａを尖状部３３０Ｂの側から、孔部３２０Ｅに通して、フランジ部３３０Ｃを凹部３２０Ｄに嵌め込んだ状態で、取付け具３３０を収容体３２０に組み込むことができる。すなわち、フランジ部３３０Ｃの面と凹部３２０Ｄの周囲の底面部３２０Ｂとが面一になるようにして、取付け具３３０を収容体３２０に組み込むことができる。そのため、収容部３２０ＣにＩＣタグ本体部３１０を収容したときに、ＩＣタグ本体部３１０がフランジ部３３０Ｃと干渉して底面部３２０Ｂから浮いてしまうことなく、ＩＣタグ本体部３１０を収容部３２０Ｃに収容できる。なお、フランジ部３３０Ｃは、凹部３２０Ｄに嵌め込む際に、フランジ部３３０Ｃと凹部３２０Ｄの間に接着剤を配置し、両者を接着固定することが好ましい。
【００６０】
以上のような構成のＩＣタグ体３００は、図１４に示すようにして使用する。この図１４は、ＩＣタグ体３００を樹木の幹Ｍに取り付けた状態を示している。取付け具３３０の円柱部３３０Ａを尖状部３３０Ｂの側から収容体３２０の孔部３２０Ｃに通す。そして、取付け具３３０のフランジ部３３０Ｃをハンマ等で打撃し、円柱部３３０Ａを尖状部３３０Ｂの側から樹木の幹Ｍ内に刺し込むようにして挿入する。そうして、収容体３２０が、フランジ部３３０Ｃと樹木の幹Ｍとの間に挟み込まれ樹木の幹Ｍに対して固定されるように、フランジ部３３０Ｃが凹部３２０Ｄの中に完全に収容されるまで、円柱部３３０Ａを樹木の幹Ｍに挿入する。
【００６１】
そして、ＩＣタグ本体３１０を収容部３２０Ｃ内に収容する。ＩＣタグ本体３１０が収容部３２０Ｃから抜け落ちないように、ＩＣタグ本体３１０と収容部３２０Ｃとの間を接着剤により固定する。ＩＣタグ体３００は、円柱部３３０Ａが樹木の幹Ｍに挿入されることにより固定されることになるが、円柱部３３０Ａの表面が滑らかになっている。そのため、樹木が生長して幹Ｍが太くなるのに合わせて、ＩＣタグ体３００も、樹木の幹Ｍの中心に対して外側に変位する。すなわち、例えば、円柱部３３０Ａをねじ状に形成した場合には、ねじ部と樹木の幹Ｍとが噛み合うため、ＩＣタグ体３００が、樹木の幹Ｍが太くなるのに合わせて、樹木の幹Ｍの中心に対して外側に変位することができない。したがって、樹木害成長し幹Ｍが太くなるのにつれて、ＩＣタグ体３００の樹木の幹Ｍから突出している部分が、樹木の幹Ｍに覆われてしまうことになる。
【００６２】
一方、上述のように、円柱部３３０Ａの表面を滑らかに構成することにより、樹木が生長して幹Ｍが太くなるのに合わせて、ＩＣタグ体３００も、樹木の幹Ｍの中心に対して外側に変位することができる。すなわち、ＩＣタグ体３００は、樹木の幹Ｍの表面に設置され続けることができる。
【００６３】
なお、円柱部３３０Ａの表面の滑らかさの程度は、例えば、グリスを塗ったり、あるいは鏡面仕上げしたときのような滑らかさは要せず、円柱部３３０Ａが挿入される樹木の幹Ｍ等の部分に対して、係合する部分がない程度であればよい。
【００６４】
（変形例１）
取付け具３３０は、図１５に示すように、内部を中空部３３０Ｄを有した構成にしてもよい。このように中空部３３０Ｄを有することにより、取付け具３３０の軽量化が図られ、ひいてはＩＣタグ体３００の軽量化が図られることになる。中空部３３０Ｄを有する取付け具３３０としては、円筒形状のものから一端側を削ることで、尖状部３３０Ｃに相当する尖状部を形成し、後端側を放射状に開いてフランジ部３３０Ｃに相当する部分としてもよい。
【００６５】
なお、取付け具３３０の円柱部３３０Ａは、円柱の他、四角柱や六角柱の形状としてもよい。しかしながら、円柱部３３０Ａのように円柱形とすることにより、樹木の幹Ｍから円柱部３３０Ａに力が作用したときに、この力を円柱部３３０の周方向に均等に分散させることができる。
【００６６】
収容体３２０については、ＩＣインレットのアンテナから発生する磁束を乱したり、ＩＣリーダー／ライターからの電波の通過を妨げないように、ポリカーボネイトやポリエチレン等の樹脂材により形成することが好ましい。収容体３２０をスチール（鉄）材、チタン材あるいはアルミニウム材等の金属材から形成することで、収容体３２０を堅牢なものとすることができる。なお、収容体３２０を金属により形成しても、開口部３２０Ａが形成されているので、ＩＣインレットからの磁束およびＩＣリーダー／ライターからの電波は、開口部３２０Ａを通過することができる。収容体３２０を、チタン材やアルミニウム材等の非磁性の金属により形成することにより、ＩＣインレットからの磁束が阻害される障害を少なくすることができる。
【００６７】
また、取付け具３３０については、ハンマー等で打撃するため、強度の点から金属で形成することが好ましいが、アンテナ２２から発生する磁束が阻害される障害を少なくするように、チタン材やアルミニウム材等の非磁性の金属により形成することがより好ましい。
【００６８】
上述の第４の実施の形態においては、保持部材をＩＣタグ本体部３１０と収容体３２０および取付け具３３０より構成しているが、収容体３２０を用いることなく、ＩＣタグ本体部３１０と取付け具３３０を一体にした構成にしてもよい。例えば、ＩＣタグ本体部３１０に取付け具３３０のフランジ部３３０Ｃを接着して、ＩＣタグ本体部３１０と取付け具３３０を一体に構成したり、あるいは、ＩＣタグ本体部３１０に尖状部３３０Ｂを有する柱状部３３０Ａに相当する部材を一体に形成するようにしてもよい。
【００６９】
（変形例２）
上述の第１の保持部材３０、あるいはＩＣタグ本体部３１０を図１６に示す第１保持部材３０Ａの構成としてもよい。図１６（Ａ）は、この第１保持部材３０Ａの平面図を示し、第１の保持部材３０Ａの内部に配設されるＩＣインレット２０Ａが点線で示されている。また、図１６（Ｂ）は、図１６（Ａ）に示す切断線Ａ−Ａにおける第１の保持部材３０Ａの断面図である。
【００７０】
この第１の保持部材３０Ａにおいては、ＩＣインレット２０Ａは、ＩＣチップ２１、アンテナ２２Ａおよび２枚の磁性シート２３Ａ，２３Ｂを有している。アンテナ２２Ａは、平面に沿って円形に巻回され、全体として円形の渦巻き状に構成されている。磁性シート２３Ａ，２３Ｂは、例えば、軟磁性フェライトにより形成され、アンテナ２２Ａの一方の側に配設されている。磁性シート２３Ａと磁性シート２３Ｂの間には、樹脂層２４が介在し、磁性シート２３Ａと磁性シート２３Ｂは、互いに間隔を開けて配設されている。アンテナ２２Ａは、磁性シート２３Ａのシート面に沿って、渦巻き状に巻かれている。
【００７１】
このように、アンテナ線２２Ａの一方の側に、磁性シート２３Ａ，２３Ｂを配設することにより、ＩＣリーダー／ライター（図示省略）との間で情報をやりとりする際の、情報の伝達精度を高くすることができる。この変形例２のように、２枚の磁性シート（磁性シート２３Ａと磁性シート２３Ｂ）を間隔を開けて重ねて配設した場合には、磁性シートを１枚だけとしたときに比べて、情報の伝達精度が高くなることが実験の結果として確認できた。
【００７２】
アンテナ２２Ａから発生する磁束は、磁気シート２３Ａ，２３Ｂにより遮断される。したがって、アンテナ２２Ａの磁気シート２３Ａ，２３Ｂが配設される側に金属部があっても、この金属部に渦電流が発生することが防止される。したがって、ＩＣリーダー／ライター（図示省略）との間の情報の伝達精度が、渦電流の発生により低下してしまうことを防止することができる。特に、磁性シートを２枚、すなわち、磁性シート２３Ａと磁性シート２３Ｂを間隔を開けて２枚重ねることにより、効果的に渦電流の発生を防止することができる。第１の保持部材３０Ａは、全体として扁平の直方体を呈する樹脂製の外装体を有し、この外装体内にＩＣインレット２０Ａが配設されている。
【００７３】
（第５の実施の形態）
ＩＣタグ体を図１７の（Ａ），（Ｂ），（Ｃ）に示す構成としてもよい。図１７に示すＩＣタグ体４００は、上記のように構成された第１の保持部材３０Ａを図１８に示す第２の保持部材４１０に保持し、そして、この第２の保持部材４１０を保持枠４２０に保持する構成になっている。
【００７４】
なお、以下の説明においては、図１７（Ａ），（Ｂ），（Ｃ）および図１８に示されるＸ方向を左右方向、Ｙ方向を前後方向、そしてＺ方向を上下方向として説明を行うことにする。また、ＩＣタグ体４００から見て、このＩＣタグ体４００を取り付ける部材の方向を前方とし、その反対方向を後方として説明を行う。
【００７５】
第２の保持部材４１０は、全体として前後方向が扁平の直方体を呈している。この第２の保持部材４１０は陶材から形成されている。第１保持部材３０Ａは、第２の保持部材４１０の前側の面の略中央部分に嵌め込まれている。第２の保持部材４１０が嵌め込まれた状態で、第２の保持部材４１０の前側の面と第１の保持部材３０Ａの前側の面とは面一となっている。
【００７６】
第１の保持部材３０Ａが嵌め込まれた第２の保持部材４１０を、アルミ材により形成される保持枠４２０に保持させる。保持枠４２０は、後方側に矩形の３つの開口部４２１、開口部４２２および開口部４２３が形成されている。開口部４２１，４２２の左右方向の幅は、保持枠４２０の左右方向の幅一杯に形成されている。また、開口部４２３の左右方向の幅は、保持枠４２０の左右方向の幅の約３／４程度の幅に形成されている。さらに、開口部４２１，４２２の上下方向の幅は、それぞれ、保持枠４２０の上下方向の幅の約１／８程度に形成されている。また、開口部４２３の上下方向の幅は、保持枠５００の上下方向の幅の約１／３程度の幅に形成されている。
【００７７】
そして、開口部４２１，４２２，４２３は、アンテナ２２Ａに対し、上下方向の位置が重なる位置に形成されている。すなわち、ＩＣタグ体４００を後方から見たときに、開口部４２１，４２２，４２３の位置にアンテナ２２Ａが重なるように配設されている。
【００７８】
開口部４２１，４２２，４２３をアンテナ２２Ａに対し、このような位置に配設することで、保持枠４２０をアルミ材で形成しても、開口部４２１，４２２，４２３を介して、アンテナ２２Ａで発生する磁束が通過し、また、ＩＣリーダー／ライター（図示省略）からの電波も通過する。
【００７９】
なお、円形の渦巻き状のアンテナ２２Ａに換えて、矩形のアンテナを用いるのに比べて、円形の渦巻き状のアンテナ２２Ａを用いるときの方が、ＩＣリーダー／ライター図示省略）との間の情報の伝達精度が高いことが実験により判明した。
【００８０】
保持枠４２０の前方側の左右には、保持枠４２０の内側に延設される舌状部４２４が設けられている。この舌状部４２４は、保持枠４２０の内側に保持されている第２の保持部材４１０に前方側で係合し、第２の保持部材４１０が保持枠４２０から前方側に脱落しないように、第２の保持部材４１０を保持枠４２０内に留めている。舌状部４２４は、第２の保持部材４１０を保持枠４２０内に保持する前には、前方に向けて延設された状態になっている。そして、第２の保持部材４１０を保持枠４２０内に保持した後、舌状部４２４は内側に折り曲げられ、第２の保持部材４１０に対して係合させられる。すなわち、舌状部４２４は、第２の保持部材４１０が保持枠４２０から前方側に脱落しないように、第２の保持部材４１０を保持枠４２０内に留める。
【００８１】
第２の保持部材４１０の前側の面には、図１８に示すように、舌状部４２４が嵌る凹部４１０Ａが形成されている。内側に折り曲げられた舌状部４２４は、凹部４１０Ａ内に嵌り、第２の保持部材４１０の前面部と舌状部４２４とは面一になる。したがって、ＩＣタグ体４００の前面を壁面等に取り付ける際、第２の保持部材４１０の前面を壁面等に密着させることができる。そのため、ＩＣタグ体４００を壁面等に安定して支持することができる。
【００８２】
また、ＩＣタグ体４００の左右には、前後に貫通するネジ挿通孔４２５が形成されている。このネジ挿通孔４２５に図示を省略するネジを通し、このネジによりＩＣタグ体４００を壁面等に固定することができる。
【００８３】
（変形例３）
第２の保持部材４１０を、図１９の（Ａ）に示す第２の保持部材４１０′として構成してもよい。この第２の保持部材４１０′は、保持枠４２０の開口部４２１，４２２，４２３に対応させて、これらの開口部４２１，４２２，４２３に嵌る凸部４１０′ａ，４１０′ｂ，４１０′ｃを形成する。
【００８４】
凸部４１０′ａ，４１０′ｂ，４１０′ｃは、第２の保持部材４１０′を保持枠４２０に保持させたときに、図１９の（Ｂ）および（Ｃ）に示すように、凸部４１０′ａ，４１０′ｂ，４１０′ｃが、それぞれ、開口部４２１，４２２，４２３に丁度嵌ると共に、凸部４１０′ａ，４１０′ｂ，４１０′ｃの天面となる後面が、保持枠４２０の後側の面と面一になるように形成されている。凸部４１０′ａは開口部４２１に、凸部４１０′ｂは開口部４２２に、凸部４１０′ｃは開口部４２３にそれぞれ対応している。図１９（Ｃ）は、図１９（Ｂ）に示す切断線Ａ−ＡにおけるＩＣタグ体４００の断面図である。
【００８５】
凸部４１０′ａ，４１０′ｂ，４１０′ｃが、開口部４２１，４２２，４２３に丁度に嵌り、凸部４１０′ａ，４１０′ｂ，４１０′ｃの後面が、保持枠４２０の後側の面と面一になることにより、ＩＣタグ体４００の後側の面を面一にすることができる。これにより、開口部４２１，４２２，４２３の凹みに物が引っ掛かる等の不都合を防止できる。
【００８６】
（第６の実施の形態）
ＩＣタグ体を図２０の（Ａ），（Ｂ），（Ｃ）に示す構成としてもよい。図２０に示すＩＣタグ体４００Ａは、上記のように構成された第１の保持部材３０Ａを図１８に示す第２の第２の保持部材４１０に保持し、そして、この第２の保持部材４１０を保持枠４２０Ａに保持する構成になっている。
【００８７】
なお、以下の説明においては、図２０（Ａ），（Ｂ），（Ｃ）に示されるＸ方向を左右方向、Ｙ方向を前後方向、そしてＺ方向を上下方向として説明を行うことにする。また、ＩＣタグ体４００Ａから見て、このＩＣタグ体４００Ａを取り付ける部材の方向を前方とし、その反対方向を後方として説明を行う。
【００８８】
第１の保持部材３０Ａが嵌め込まれた第２の保持部材４１０を、アルミ材により形成される保持枠４２０Ａに保持させる。保持枠４２０Ａは、後方側に矩形の２つの開口部４２１Ａ、開口部４２２Ａが形成されている。開口部４２１Ａ，４２２Ａの左右方向の幅は、保持枠４２０Ａの左右方向の幅一杯に形成されている。さらに、開口部４２１Ａ，４２２Ａの上下方向の幅は、それぞれ、保持枠４２０Ａの上下方向の幅の約１／３程度に形成されている。
【００８９】
そして、開口部４２１Ａ，４２２Ａは、アンテナ２２Ａに対し、上下方向の位置が重なる位置に形成されている。すなわち、ＩＣタグ体４００Ａを後方から見たときに、開口部４２１Ａ，４２２Ａの位置にアンテナ２２Ａが重なるように配設されている。
【００９０】
開口部４２１Ａ，４２２Ａをアンテナ２２Ａに対し、このような位置に配設することで、保持枠４２０Ａをアルミ材で形成しても、開口部４２１Ａ，４２２Ａを介して、アンテナ２２Ａで発生する磁束が通過し、また、ＩＣリーダー／ライター（図示省略）からの電波も通過する。
【００９１】
なお、保持枠４２０Ａにおいても、円形の渦巻き状のアンテナ２２Ａに換えて、矩形のアンテナを用いるのに比べて、円形の渦巻き状のアンテナ２２Ａを用いるときの方が、ＩＣリーダー／ライター図示省略）との間の情報の伝達精度が高いことが実験により判明した。
【００９２】
保持枠４２０Ａの前方側の左右には、保持枠４２０Ａの内側に延設される舌状部４２４Ａが設けられている。この舌状部４２４Ａは、保持枠４２０Ａの内側に保持されている第２の保持部材４１０に前方側で係合し、第２の保持部材４１０が保持枠４２０Ａから前方側に脱落しないように、第２の保持部材４１０を保持枠４２０Ａ内に留めている。舌状部４２４Ａは、第２の保持部材４１０を保持枠４２０Ａ内に保持する前には、前方に向けて延設された状態になっている。そして、第２の保持部材４１０を保持枠４２０Ａ内に保持した後、舌状部４２４Ａは、内側に折り曲げられ、第２の保持部材４１０に対して係合させられる。すなわち、舌状部４２４Ａは、第２の保持部材４１０が保持枠４２０Ａから前方側に脱落しないように、第２の保持部材４１０を保持枠４２０Ａ内に留める。
【００９３】
第２の保持部材４１０の前側の面には、上述したように、舌状部４２４が嵌る凹部４１０Ａが形成されている。内側に折り曲げられた舌状部４２４Ａは、凹部４１０Ａ内に嵌り、第２の保持部材４１０の前面部と舌状部４２４Ａとは面一になる。そのため、ＩＣタグ体４００Ａの前面を壁面等に取り付ける際、第２の保持部材４１０の前面を壁面等に密着させることができる。したがって、ＩＣタグ体４００Ａを壁面等に安定して支持することができる。
【００９４】
また、ＩＣタグ体４００Ａの左右には、前後に貫通するネジ挿通孔４２５Ａが形成されている。このネジ挿通孔４２５Ａに図示を省略するネジを通し、このネジによりＩＣタグ体４００Ａを壁面等に固定することができる。
【００９５】
（変形例４）
第２の保持部材４１０を、図２１の（Ａ）に示す第２の保持部材４１０″として構成してもよい。この第２の保持部材４１０″は、保持枠４２０Ａの開口部４２１Ａ，４２２Ａに対応させて、これらの開口部４２１Ａ，４２２Ａに嵌る凸部４１０″ａ，４１０″ｂを形成する。
【００９６】
凸部４１０″ａ，４１０″ｂは、第２の保持部材４１０″を保持枠４２０Ａに保持させたときに、図２１の（Ｂ）および（Ｃ）に示すように、凸部４１０″ａ，４１０″ｂが、それぞれ、開口部４２１Ａ，４２２Ａに丁度嵌ると共に、凸部４１０″ａ，４１０″ｂの天面となる後面が、保持枠４２０Ａの後側の面と面一になるように形成されている。凸部４１０″ａは開口部４２１Ａに、凸部４１０″ｂは開口部４２２Ａにそれぞれ対応している。図２１（Ｃ）は、図２１（Ｂ）に示す切断線Ａ−ＡにおけるＩＣタグ体４００Ａの断面図である。
【００９７】
凸部４１０″ａ，４１０″ｂが、開口部４２１Ａ，４２２Ａに丁度嵌り、凸部４１０″ａ，４１０″ｂの後面が、保持枠４２０Ａの後側の面と面一となることにより、ＩＣタグ体４００Ａの後側の面を面一にすることができる。これにより、開口部４２１Ａ，４２２Ａの凹みに物が引っ掛かる等の不都合を防止できる。
【００９８】
（第７の実施の形態）
ＩＣタグ体を図２２の（Ａ），（Ｂ），（Ｃ）に示す構成としてもよい。図２２に示すＩＣタグ体４００Ｂは、上記のように構成された第１の保持部材３０Ａを図１８に示す第２の第２の保持部材４１０に保持し、そして、この第２の保持部材４１０を保持枠４２０Ｂに保持する構成になっている。
【００９９】
なお、以下の説明においては、図２２（Ａ），（Ｂ），（Ｃ）に示されるＸ方向を左右方向、Ｙ方向を前後方向、そしてＺ方向を上下方向として説明を行うことにする。また、ＩＣタグ体４００Ｂから見て、このＩＣタグ体４００Ｂを取り付ける部材の方向を前方とし、その反対方向を後方として説明を行う。
【０１００】
第１の保持部材３０Ａが嵌め込まれた第２の保持部材４１０を、アルミ材により形成される保持枠４２０Ｂに保持させる。保持枠４２０Ｂは、後方側に矩形の２つの開口部４２１Ｂ、開口部４２２Ｂが形成されている。開口部４２１Ｂ，４２２Ｂの左右方向の幅は、保持枠４２０の左右方向の幅一杯に形成されている。さらに、開口部４２１Ｂ，４２２Ｂの上下方向の幅は、それぞれ、保持枠４２０の上下方向の幅の約１／３程度に形成されている。
【０１０１】
そして、開口部４２１Ｂ，４２２Ｂは、アンテナ２２Ａに対し、上下方向の位置が重なる位置に形成されている。すなわち、ＩＣタグ体４００Ｂを後方から見たときに、開口部４２１Ｂ，４２２Ｂの位置にアンテナ２２Ａが重なるように配設されている。
【０１０２】
開口部４２１Ｂ，４２２Ｂをアンテナ２２Ａに対し、このような位置に配設することで、保持枠４２０Ｂをアルミ材で形成しても、開口部４２１Ｂ，４２２Ｂを介して、アンテナ２２Ａで発生する磁束が通過し、また、ＩＣリーダー／ライター（図示省略）からの電波も通過する。
【０１０３】
なお、保持枠４２０Ｂにおいても、円形の渦巻き状のアンテナ２２Ａに換えて、矩形のアンテナを用いるのに比べて、円形の渦巻き状のアンテナ２２Ａを用いるときの方が、ＩＣリーダー／ライター図示省略）との間の情報の伝達精度が高いことが実験により判明した。
【０１０４】
保持枠４２０Ｂの前方側の上下には、保持枠４２０Ｂの内側に延設される舌状部４２４Ｂが設けられている。この上下の舌状部４２４Ｂは、上側の舌状部４２４Ｂは、左側に偏った位置に設けられ、また下側の下状部４２４Ｂは、左側に偏った位置に設けられている。すなわち、上下の舌状部４２４Ｂは、第２の保持部材４１０の略中央部分に配設される第１の保持部材３０Ａに対して、それぞれ左右方向に互いに反対側に偏倚した位置に配設されている。この舌状部４２４Ｂは、保持枠４２０Ｂの内側に保持されている第２の保持部材４１０に前方側で係合し、第２の保持部材４１０が保持枠４２０Ｂから前方側に脱落しないように、第２の保持部材４１０を保持枠４２０Ｂ内に留めている。舌状部４２４Ｂは、第２の保持部材４１０を保持枠４２０Ｂ内に保持する前には、前方に向かって延設された状態になっている。そして、第２の保持部材４１０を保持枠４２０Ｂ内に保持した後、舌状部４２４Ｂは内側に折り曲げられ、第２の保持部材４１０に対して係合させられる。すなわち、舌状部４２４Ｂは、第２の保持部材４１０が保持枠４２０Ｂから前方側に脱落しないように、第２の保持部材４１０を保持枠４２０Ｂ内に留める。
【０１０５】
第２の保持部材４１０の前側の面には、舌状部４２４が嵌る凹部４１０Ｂが形成されている。舌状部４２４Ｂを、凹部４１０Ｂ内に嵌るように折り曲げたときに、第２の保持部材４１０の前面部と舌状部４２４Ｂと面一となるように、舌状部４２４Ｂと凹部４１０Ｂは構成されている。したがって、ＩＣタグ体４００Ｂの前面を壁面等に取り付ける際、第２の保持部材４１０の前面を壁面等に密着させることができる。そのため、ＩＣタグ体４００Ｂを壁面等に安定して支持することができる。
【０１０６】
上下の舌状部４２４Ｂを、第２の保持部材４１０の略中央部分に配設される第１の保持部材３０Ａに対して、それぞれ左右方向に反対側に偏倚した位置に配設することにより、舌状部４２４Ｂを折り曲げて、凹部４１０Ｂに嵌めた状態において、舌状部４２４Ｂがアンテナ２２Ａに重なることを防ぐことができる。
【０１０７】
舌状部４２４Ｂをアンテナ２２Ａに重なるように折り曲げられることとすると、舌状部４２４Ｂに、舌状部４２４Ｂをアンテナ２２Ａ側に押え付ける力が作用した場合に、舌状部４２４Ｂが、第１の保持部材３０Ａを破壊し、アンテナ２２Ａを切断する虞がある。上記のように、舌状部４２４Ｂが、アンテナ２２Ａから離れた位置に配設されることで、舌状部４２４Ｂにアンテナ２２Ａ側に押え付ける力が作用した場合に、第１の保持部材３０Ａを破壊したとしても、アンテナ２２Ａが破壊される事故は防ぐことができる。
【０１０８】
保持枠４２０Ｂは、前側の左右の各縁部に左右方向に延設される裾部４２６が形成されている。この裾部４２６には、ネジ挿通孔４２６′が形成され、このネジ挿通孔４２６′に図示を省略するネジが通され、このネジによりＩＣタグ体４００Ｂが壁面等に固定される。
【図面の簡単な説明】
【０１０９】
【図１】本発明の第１の実施の形態に係るＩＣタグ体の分解斜視図である。
【図２】図１のＩＣタグ体の前方から見た斜視図である。
【図３】図１のＩＣタグ体の後方から見た斜視図である。
【図４】図１のＩＣタグ体を構成する第１の保持部材の斜視図である。
【図５】図４に示す第１の保持部材の平面図である。
【図６】図５に示す第１の保持部材の切断線Ａ−Ａにおける断面図である。
【図７】図１のＩＣタグ体１０の使用例を示すである。
【図８】図７における切断線Ａ−Ａにおける断面図である。
【図９】図１のＩＣタグ体の第１の保持部材を、第２の保持部材の壁面Ｗと反対側に組み込んだ構成を示す図である。
【図１０】本発明の第２の実施の形態に係るＩＣタグ体を示す図である。
【図１１】本発明の第３の実施の形態に係るＩＣタグ体を示す図である。
【図１２】本発明の第４の実施の形態に係るＩＣタグ体の分解斜視図である。
【図１３】図１２に示すＩＣタグ体の平面図である。
【図１４】図１２に示すＩＣタグ体の使用状態を示す図である。
【図１５】本発明の第４の実施の形態の変形例を示し、ＩＣタグ体の円柱部に中空部を設けた例を示す図である。
【図１６】本発明の各実施の形態に係る第１の保持部材およびＩＣタグ本体部の変形例を示す図である。（Ａ）はその平面図であり、（Ｂ）は（Ａ）における切断線Ａ−Ａにおける断面図である。
【図１７】本発明の第５の実施の形態に係るＩＣタグ体を示す図である。（Ａ）はＩＣタグ体を後方から見た平面図であり、（Ｂ）は前方から見た斜視図であり、（Ｃ）は後方からみた斜視図である。
【図１８】図１７に示す第２の保持部材を前方から見た斜視図である。
【図１９】本発明の第５の実施の形態の変形例を示し、（Ａ）は第２の保持部材を後方から見た斜視図であり、（Ｂ）はＩＣタグ体を後方から見た斜視図であり、（Ｃ）は（Ｂ）における切断線Ａ−Ａにおける断面図である。
【図２０】本発明の第６の実施の形態に係るＩＣタグ体を示す図である。（Ａ）はＩＣタグ体を後方から見た平面図であり、（Ｂ）は前方から見た斜視図であり、（Ｃ）は後方からみた斜視図である。
【図２１】本発明の第６の実施の形態の変形例を示し、（Ａ）は第２の保持部材を後方から見た斜視図であり、（Ｂ）はＩＣタグ体を後方から見た斜視図であり、（Ｃ）は（Ｂ）における切断線Ａ−Ａにおける断面図である。
【図２２】本発明の第７の実施の形態に係るＩＣタグ体を示す図である。（Ａ）はＩＣタグ体を後方から見た平面図であり、（Ｂ）は前方から見た斜視図であり、（Ｃ）は後方からみた斜視図である。
【符号の説明】
【０１１０】
１０  …  ＩＣタグ体
２０  …  ＩＣインレット
２０Ａ  …  ＩＣインレット
２１  …  ＩＣチップ
２２  …  アンテナ
２２Ａ  …  アンテナ
３０  …  第１の保持部材
３０Ａ  …  第１の保持部材
４０  …  第２の保持部材
４５  …  ねじ挿通孔（貫通孔）
５０  …  保持枠
６０  …  ねじ（取付け具）
１００  …  ＩＣタグ体
１１０  …  第２の保持部材
２００  …  ＩＣタグ体
２１０  …  第２の保持部材
３００  …  ＩＣタグ体
３２０，３２０，３３０  …  保持部材
３３０Ａ  …  柱状部
３３０Ｂ  …  尖状部
３３０Ｄ  …  中空部
４００  …  ＩＣタグ体
４００Ａ  …  ＩＣタグ体
４００Ｂ  …  ＩＣタグ体
４１０  …  第２の保持部材
４１０′  …  第２の保持部材
４１０″  …  第２の保持部材
４２０Ａ  …  保持枠
４２０Ｂ  …  保持枠
４２５  …  ねじ挿通孔（貫通孔）
４２６′  …  ねじ挿通孔（貫通孔）
【図１】
2007280308.tif 000003
【図２】
2007280308.tif 000004
【図３】
2007280308.tif 000005
【図４】
2007280308.tif 000006
【図５】
2007280308.tif 000007
【図６】
2007280308.tif 000008
【図７】
2007280308.tif 000009
【図８】
2007280308.tif 000010
【図９】
2007280308.tif 000011
【図１０】
2007280308.tif 000012
【図１１】
2007280308.tif 000013
【図１２】
2007280308.tif 000014
【図１３】
2007280308.tif 000015
【図１４】
2007280308.tif 000016
【図１５】
2007280308.tif 000017
【図１６】
2007280308.tif 000018
【図１７】
2007280308.tif 000019
【図１８】
2007280308.tif 000020
【図１９】
2007280308.tif 000021
【図２０】
2007280308.tif 000022
【図２１】
2007280308.tif 000023
【図２２】
2007280308.tif 000024